(57)【要約】【課題】高いデザイン性や流通性に加え、環境に優しく高齢者等であっても煩雑な作業が不要となり使いやすい衛生紙の収納容器を提供すること。【解決手段】衛生紙を収納する空間が形成された内側ケースと、該内側ケースの少なくとも一部を覆う外側ケースとを備え、少なくとも前記内側ケースの一の面の端縁に形成された前記衛生紙の取出口から、前記衛生紙を、前記衛生紙が重ね合わされた面と水平方向に取り出すことができ、前記内側ケースを前記外側ケースから引き出すことができる衛生紙の収納容器。【選択図】図１
2015147580.tif 000002
【特許請求の範囲】
【請求項１】
衛生紙を収納する空間が形成された内側ケースと、該内側ケースの少なくとも一部を覆う外側ケースとを備え、
少なくとも前記内側ケースの一の面の端縁に形成された前記衛生紙の取出口から、前記衛生紙を、前記衛生紙が重ね合わされた面と水平方向に取り出すことができ、
前記内側ケースを前記外側ケースから引き出すことができる衛生紙の収納容器。
【請求項２】
前記一の面は、前記内側ケースの前記衛生紙が重ね合わされた面と垂直をなす面であって、重ね合わされた前記衛生紙の短手方向と対向する面である請求項１記載の衛生紙の収納容器。
【請求項３】
前記内側ケースを前記外側ケースの長手方向において引き出すことができる請求項１又は２に記載の衛生紙の収納容器。
【請求項４】
前記外側ケースの前記内側ケースを引き出す開放面の一端縁に仕切り板を備え、
該仕切り板には前記内側ケースの前記一の面の端縁に形成された前記取出口と連通して前記衛生紙の取出口となる開口部が形成される請求項１から３のいずれか１項に記載の衛生紙の収納容器。
【請求項５】
前記外側ケースの鉛直方向における上面を被取付体に取り付ける取付部材を備える請求項１から４のいずれか１項に記載の衛生紙の収納容器。
【請求項６】
請求項１から４のいずれか１項に記載の衛生紙の収納容器の外側ケースの鉛直方向における上面を被取付体に取り付ける取付部材。
【発明の詳細な説明】
【技術分野】
【０００１】
本発明は、内箱と外箱を組み合わせて用いる衛生紙の収納容器に関する。
【背景技術】
【０００２】
衛生紙としてのティッシュペーパー（以下「ティッシュ」という。）は、多様な用途に用いられる日常生活での必需品となっている。
【０００３】
一般にティッシュを収納するティッシュ箱は、略直方体の厚紙製の筐体で構成されており、平置きされた当該箱体の天面略中央に開口されている軟質合成樹脂製フィルム付きの取出口が形成され、その取出口から一枚ずつ順にティッシュを取り出すようになっている。
【０００４】
ティッシュは、一枚一枚が折り曲げられ、それらが噛み合うように積層されており、ティッシュの折り目に対して垂直に上から一枚取出せば次の一枚が引っ張られ、取り出しやすく取出口から一部が出るようになっている。すなわち、周知のとおりティッシュは、ティッシュ箱へ集積状に収容されて、最上層から順送り状に取出し可能であって、二つ折りされて上下に隣接するもの同士、その折り目の位置を互い違いになるよう配置すると共に、最上層以外の二つ折りティッシュペーパー個々は、夫々の二つ折り挟着部内に、直上の二つ折りティッシュペーパーの下半部および直下の二つ折りティッシュペーパーの上半部の双方を挿入状とする組合せで順次上下に積層してなる複数枚の二つ折りティッシュペーパーを一組としている。
【０００５】
一般のティッシュ箱は、略直方体のうち上面（最も面積の広い面）に取出口が形成されており、置き場所として大きな面積が必要となる。特に、ティッシュ箱の場合、ティッシュ箱の上に他の物を載置することはできない。従来、ティッシュ箱を置く場所として、卓上や、壁に掛けたり、車のサンバイザー部分に挟んだりしていたが、例えば、食卓テーブルやカウンターの場合は、卓上は食器や調味料、ＴＶのリモコン、携帯端末、などあらゆるもので一杯になっていることも多く、またデスクワーク時の机上等も書類等で一杯になることも多く、そのような状況下、ティッシュ箱を置くスペースはかなりのものになる。
【０００６】
ティッシュ箱を置くための面積を少なくするために、ティッシュを取り出す面の面積を小さくするのでは、ティッシュのサイズ自体を変更することとなるため特注品となり、大量生産されている一般的なサイズのティッシュを用いることができずコストが高くなる。
【０００７】
ところで、ティッシュ箱の中身のティッシュの束である市販のティッシュ束のみを詰め替えるタイプの容器が知られている。使い捨てタイプのティッシュ箱に比べて箱用の資源の無駄防止となり、省資源で環境に優しいとう利点がある。
【０００８】
関連技術として、一般的なサイズのティッシュを使用可能とし、狭いスペースに置くことができ、かつ、容器内のティッシュが減少したとしても、順次、容易にティッシュを取り出すことができるティッシュ容器が提案されている。
その構成は、交互に折り畳まれた状態で重なる複数のティッシュを、折り畳まれた折り目が縦方向となり、かつ、縦方向に沿って２つに曲げるようにして収容するケースと、ケースの上側であって、ティッシュを引き抜く（折り目に対して水平、かつ、真上に）際に、次に引き抜かれるティッシュの一部が露出するようにした取出口を有する蓋部とを備え、ケースの内側には、曲げる方向に向って弾性力を発揮するようにして、ティッシュを挟み込む挟持体を設けたものである（特許文献１参照）。
【先行技術文献】
【特許文献】
【０００９】
【特許文献１】特開２０１２−２４５９８２号公報
【発明の概要】
【発明が解決しようとする課題】
【００１０】
しかしながら、上記の従来のティッシュ容器では、ティッシュの折り目に対して水平、かつ、真上に引き抜くために、取出口の手前にはティッシュを挟み込むための機構が設けられている。当該機構は、ティッシュを折り目に対して水平方向に引き抜こうとすると、市販のティッシュ束の折り重ねの構造により、１枚毎にティッシュ同士の摩擦力が強くなったり、弱くなったりし、ティッシュが取出口から大きく出過ぎたり、逆に途中で途切れて、取出口から出てこなかったりする場合があるのでそのような事態を回避するために設けられている。
ところが、当該挟み込み機構はティッシュ束を詰め替える際に煩雑となる。すなわち、詰め替えの際に最初の１枚の端部を当該挟み込み機構の中にくぐらせる必要があり、特に高齢者等にとっては煩雑な作業となりうる。
また、上記の従来のティッシュ容器では、卓上のスペースを有効活用等するために卓下のデッドスペースや奥行きのある棚のデッドスペース、さらに机下のデッドスペース（執務者の足がぶつからない場所）等に設置して、そのまま使用することはできなかった。
また、近時は、ティッシュ箱もインテリアの一部となり、置き方や置き場所による見栄えは重要な要素となっている。
【００１１】
本発明の目的は、取出口からのティッシュの出過ぎ（見栄えが悪い）や、逆に取出口以前での途切れ（取出口から出てこない）を回避する役目も果たしつつ、高いデザイン性や流通性に加え、経済性や他の家具とのコラボレーションが可能であり、環境に優しく高齢者等であっても煩雑な作業が不要となり使いやすい衛生紙の収納容器を提供することにある。
【課題を解決するための手段】
【００１２】
本発明の衛生紙の収納容器は、衛生紙を収納する空間が形成された内側ケースと、該内側ケースの少なくとも一部を覆う外側ケースとを備え、少なくとも前記内側ケースの一の面の端縁に形成された前記衛生紙の取出口から、前記衛生紙を、前記衛生紙が重ね合わされた面と水平方向に取り出すことができ、前記内側ケースを前記外側ケースから引き出すことができる。
このように構成することにより、高いデザイン性や流通性に加え、詰め替えの際に最初の１枚の端部を当該挟み込み機構の中にくぐらせることが不要で高齢者等であっても煩雑な作業が不要となり使いやすく、またティッシュ束のみを詰め替えるタイプ（紙箱なしのもの）の利用の促進により環境に優しい衛生紙の収納容器を実現できる。
【００１３】
また、本発明の衛生紙の収納容器は、前記一の面は、前記内側ケースの前記衛生紙が重ね合わされた面と垂直をなす面であって、重ね合わされた前記衛生紙の短手方向と対向する面であってもよい。
【００１４】
また、本発明の衛生紙の収納容器は、前記内側ケースを前記外側ケースの長手方向において引き出すことができてもよい。
【００１５】
また、本発明の衛生紙の収納容器は、前記外側ケースの前記内側ケースを引き出す開放面の一端縁に仕切り板を備え、該仕切り板には前記内側ケースの前記一の面の端縁に形成された前記取出口と連通して前記衛生紙の取出口となる開口部が形成されてもよい。
【００１６】
また、本発明の衛生紙の収納容器は、前記外側ケースの鉛直方向における上面を被取付体に取り付ける取付部材を備えることであってもよい。
また、本発明の取付部材は、上記の衛生紙の収納容器の外側ケースの鉛直方向における上面を被取付体に取り付ける。
【発明の効果】
【００１７】
本発明によれば、高いデザイン性や流通性に加え、環境に優しく高齢者等であっても煩雑な作業が不要となり使いやすい衛生紙の収納容器を提供することができる。
【図面の簡単な説明】
【００１８】
【図１】本発明の実施の形態に係る衛生紙の収納容器の全体斜視図である。
【図２】本発明の実施の形態に係る衛生紙の収納容器の内箱の斜視図である。
【図３】本発明の実施の形態に係る衛生紙の収納容器の外箱の斜視図である。
【図４】本発明の実施の形態に係る衛生紙の収納容器の後部を示す図である。
【図５】本発明の実施の形態に係る衛生紙の収納容器の使用方法を説明する図である。
【図６】本発明の実施の形態に係る衛生紙の収納容器に用いられる取付部材の構成図である。
【図７】本発明の実施の形態に係る衛生紙の収納容器に取付部材を追加した図である。
【図８】本発明の実施の形態に係る衛生紙の収納容器に用いられる他の取付部材の構成図である。
【図９】本発明の実施の形態に係る衛生紙の収納容器に他の取付部材を追加した図である。
【発明を実施するための形態】
【００１９】
以下、本発明の実施の形態を図面を参照しつつ説明する。
図１に示すように、本実施形態の衛生紙の収納容器Ｂは、略直方体からなる箱である。ここで「略直方体」とは、完全な直方体を含むことはもちろんであるが現実的に直方体と認識しうる程度の形状まで含まれる。
また、本実施形態の衛生紙の収納容器Ｂにおいて、箱の「上面」とは、直方体を形成する６面のうち基準となる一面であり、任意の面を採用することができるが、図１では、鉛直方向における上面となる最も面積の広い面（図１における上側）を意味する。なお、箱の「前面」とは、上面に辺で接する４つの面のうちの一面をいい図１における右側の面を指すものとする。したがって、箱の「後面」は、「前面」に対向する面であり図１における左側（図１では不図示）の面をいうこととなる。
【００２０】
図１に示すように、本実施形態の衛生紙の収納容器Ｂは、内箱１と外箱２とから構成される。内箱１と外箱２は共にその材質は、一例として板材（厚さ寸法は約３ｍｍ）を前提とするが、樹脂、金属又は紙などの種々のものが適用可能である。衛生紙としてのティッシュが積層して束となっている状態で収納可能に構成されている。概略寸法は、短手方向に１３０ｍｍ、長手方向に２４０ｍｍ、高さ方向に８０ｍｍとなっている。
ティッシュ束の残りが少なくなるにつれて、箱の中でティッシュ同士の重なり合う部分が途切れて取出口から出ないことが多いので、高さ寸法（内箱を外箱に入れた際の内寸）は約８０ｍｍ程度であることが望ましい。これはちょうど２枚１組のティッシュペーパー（幅が約１９５ｍｍ、長さが約２００ｍｍ）が１５０組束ねられたティッシュ（ティッシュ束）３が収納可能なサイズである。なお、２００組のティッシュ束や、業務用サイズのものにも対応可能なサイズとなっている。このようにすることで、内箱に配置されるティッシュの量が減った場合であっても、側面からティッシュが取出せなくなってしまうおそれを少なくすることができる。
【００２１】
図２に本実施形態の衛生紙の収納容器Ｂを構成する内箱１を示す。なお、図２中の前後上下方向は図１と同様である。
内箱１は、前面１１と左右の両側面１２、１３と、下面１４から構成され、これらの面に囲まれた空間にティッシュ束を収納する。
前面１１は、幅１３０ｍｍで高さが７７ｍｍである略長方形をなす。さらに、前面１１には、上端縁中央部に幅５０ｍｍで深さ１５ｍｍの略長方形（角部がＲ処理されていてもよい）の切欠きが形成されている。この開口部はティッシュの取出口となる。
両側面１２、１３は、幅２３４ｍｍで高さが５５ｍｍである略長方形をなす。
下面１４は、長手方向の幅が２３４ｍｍで、短手方向の幅が１２１ｍｍである略長方形をなす。
【００２２】
図３及び図４に本実施形態の衛生紙の収納容器Ｂを構成する外箱２を示す。なお、図３中の前後上下方向は図１と同様である。
外箱２は、後面２１と左右の両側面２２、２３と、上面２４から構成され、これらの面に囲まれた空間に内箱を格納する。
後面２１は、幅１３０ｍｍで高さが７７ｍｍである略長方形をなす（図４も参照）。さらに、後面２１には、上端縁中央部に幅５０ｍｍで深さ８ｍｍの略長方形（角部がＲ処理されていてもよい）の開口部が形成されている。この開口部は後述する取付部材４を挿通するために用いられる。
両側面１２、１３は、幅２３７ｍｍで高さが８０ｍｍである略長方形をなす。
上面２４は、長手方向の幅が２３７ｍｍで、短手方向の幅が１３０ｍｍである略長方形をなす。
さらに、上面２４の前端部（図３では右側）の左右に仕切り板２６、２７が垂下するように設けられる。それぞれ幅３７ｍｍで高さが１５ｍｍである。別の表現では、幅１２４ｍｍで高さが１５ｍｍの一枚板の中央部に幅５０ｍｍで深さ１５ｍｍの略長方形（角部がＲ処理されていてもよい）の切欠きが形成されているともいえる。仕切り板２６、２７がないと、内箱１の前面１１が外箱２の所定の厚み寸法を有する上面２４と重なる際にティッシュを挟み込んでしまい引っ張り出す際に切れてしまうリスクが高くなるからである。
さらに両側面１２、１３の下端には、外箱２の内側に向けて補助板２８、２９が設けられる。補助板２８、２９は、長手方向の幅が２３７ｍｍで、短手方向の幅が１３ｍｍである略長方形をなす。このように下面をすべて覆う一枚の板材としないことにより軽量化が実現される。
【００２３】
次に、図５を参照して本実施形態の衛生紙の収納容器Ｂの使用方法を説明する。なお、ここでは１５０組束ねられたティッシュ（ティッシュ束）３を前提とする。
まず、図５（ａ）に示すように、ティッシュ３を内箱１（外箱２からは完全に引き出された状態である。）の収納空間に載置する。したがって、詰め替え作業に関しては、一般的によく使われている、ティッシュを折り目に対して垂直に引き抜くティッシュボックスと比較しても容易となっている。
そして、図５（ｂ）に示すように、内箱１を外箱２の中に引き出しを納める要領で奥行き２／３程度まで押し込む。
さらに、図５（ｃ）に示すように、ティッシュ（ティッシュ束）３の最初（１番上）の一枚の端を二枚目との重なり部分を残したまま取出口へ引っ張り出す。
最後に、図５（ｄ）に示すように、ティッシュの最初の一枚が外箱２の仕切り板２６、２７と内箱２の前面１１の重なる面に挟まらないように注意しながら、内箱１を外箱２に最後まで押し込む。なお、外箱２の仕切り板により形成される開口部が、内箱１の前面１１端縁に形成された取出口と連通してティッシュの取出口となる。
そして、ティッシュ３の規制された積層構造を崩してしまわないようにし、ティッシュを一枚ずつ引き出すときに、それに係わる次のティッシュペーパーも半ば繋がり状となって、例えば１／３近くが衛生紙の収納容器Ｂの外にまで引きずり出されるようになる。すなわちティッシュの層から一枚を抜き取れば次のティッシュが摩擦により自動的にティッシュ取出口から突出することとなるが、これは、衛生紙の収納容器Ｂを縦、横に立てた場合でも有効であり、例えば机上や本棚に立ててある本の間に配置することも可能となり、より小面積で多様な空間（特にデッドスペース）にて使用することができる。
なお、取出口の最下端と内箱１の側面の最上端の高低差は６ｍｍ程度あるが、この程度の隙間がなければ最初の一枚目のティッシュを取り出す際に、きつくて取出口から出てこなかったり途中で破れてしまうおそれがあるからである。
【００２４】
次に、図６及び図７を参照して、本実施形態の衛生紙の収納容器Ｂに用いられる取付部材４について説明する。
追加部品の取付部材４は、衛生紙の収納容器Ｂを机やテーブル等の天板の裏面に取り付けて使用できるようにするためのいわゆるステー等の機能を有する補助具である。材質は、一例として板材（厚さ寸法は約３ｍｍ）を前提とするが、衛生紙の収納容器Ｂを使用する上で耐加重を満たすものであれば樹脂、金属又は紙などの種々のものが適用可能である。
長手方向の幅が２４１ｍｍで、短手方向の幅が４８ｍｍである略長方形をなす２枚の板が１１ｍｍの間隔で平行に並ぶように後端を連結する後面板と、２枚の板の下側の前端にはストッパ部が高さ寸法３ｍｍ程度上方に延伸する。
【００２５】
取付部材４は、まず、机やテーブル等の天板の裏面に固定する位置を定めてからビス２本や両面テープ等を用いて机やテーブル等の天板の裏面に取付部材４自体を固定する。なお、両面テープは性質上、貼り付けて（取り付けて）から強度が増すまで１日程度（両面テープの性能による）時間を経過させるのが望ましい。
次に、衛生紙の収納容器Ｂの外箱２をその後面２１に形成されている開口部から取付部材４に沿って押し入れる。そして、外箱２の前側にも高さが１５ｍｍの仕切り板２６、２７が垂下するので、その開口部と同様の位置、形状にて同じ幅、高さの開口スペース（内箱１と連通して取出口となる。）が形成され、後面の開口部から前方の取出口に向かって取付部材４を１本通すことができる。さらに、２枚の板の下側の前端にはストッパ部が高さ寸法３ｍｍ程度上方に延伸するので、ティッシュを取り出す際に外箱２も一緒に前にずれてしまうことはない（図７も参照）。
取付部材４さえ机やテーブル等の天板の裏面に固定してしまえば衛生紙の収納容器Ｂ本体は簡単に机やテーブル等天板の裏面から脱着可能となる。机やテーブル等の天板裏面に固定するものも取付部材４だけであり取付作業も容易となる。
【００２６】
例えば、衛生紙の収納容器Ｂ本体と、専用の取付部材４、ビス２本、両面テープ適量及び卓上で使う際の滑り止め用の部品４個をセットで販売することであってもよい。使い方によって部品も使い分けできるという利点がある。
【００２７】
また、図８及び図９に本実施形態の衛生紙の収納容器Ｂに用いられる取付部材の他の実施例としての取付部材４´を示す。材質は鉄やステンレス等の金属であってよく、また、先端２本の独立部分には外箱２の上面裏面との摩擦によるキズを防止するため先端保護用のドームキャップが被せられることが望ましい。
【００２８】
なお、上述の各衛生紙の収納容器Ｂの使用態様と異なり、衛生紙の収納容器Ｂは立てて（上面を鉛直方向に置く）使用することであってもよい。この場合は重力に逆らって上方向にティッシュを引っ張ることとなるので特別に部品は必要としない。衛生紙の収納容器Ｂの形状によりティッシュが垂れてしまうことなく積層した状態を維持可能である。
さらに、衛生紙の収納容器Ｂは横に立てて（前面の長辺を鉛直方向に置く）使用することであってもよい。この場合もティッシュを引き抜く方向は衛生紙の収納容器Ｂと同様となるため特別な部品は必要なく衛生紙の収納容器Ｂの形状によりティッシュが垂れてしまうことなく積層した状態を維持可能である。
【００２９】
上記の本実施の形態の衛生紙の収納容器Ｂによれば、取出口からのティッシュの出過ぎ（見栄えが悪い）や、逆に取出口以前での途切れ（取出口から出てこない）を回避する役目も果たしつつ、高いデザイン性や流通性に加え、経済性や他の家具とのコラボレーションが可能であり、環境に優しく高齢者等であっても煩雑な作業が不要となり使いやすい衛生紙の収納容器を実現できる。さらに、側面からティッシュを取出す構成としているが一般のサイズのティッシュをそのまま用いたうえで卓上等、ティッシュ（箱）を設置する場所の小面積化を図ることができ、特別なサイズのティッシュを作成する必要がなく、コストの上昇を抑えることができる。
【００３０】
[その他の変形例]
衛生紙の収納容器Ｂの外箱２の所定の内部空間にティッシュを送り出すためのローラーユニットを備えていてもよい。これにより、上記の本実施の形態の衛生紙の収納容器Ｂと同等の効果を得ながら滑らかにティッシュを引き出すことができる。
【００３１】
また、衛生紙の収納容器Ｂの内箱１に取っ手が備えられていてもよい。これにより、外箱２から内箱１を引き出すことが容易となる。
【００３２】
また、外箱２の上面２４は存在しなかったり、外箱２の外側に張り出す形状の補助板が設けられることであってもよい。このような構成であっても取付部材４を用いる場合等には本発明の効果を同様に奏することができる。
【００３３】
その他、一々例示はしないが、本発明は、その趣旨を逸脱しない範囲内において、取付部材等の付属品すべてに及んだ各構成部分の大きさや形状を含む種々の変更が加えられて実施されてよい。
【符号の説明】
【００３４】
Ｂ    衛生紙の収納容器
１    内箱
２    外箱
３    ティッシュ
４    取付部材
【図１】
2015147580.tif 000003
【図２】
2015147580.tif 000004
【図３】
2015147580.tif 000005
【図４】
2015147580.tif 000006
【図５】
2015147580.tif 000007
【図６】
2015147580.tif 000008
【図７】
2015147580.tif 000009
【図８】
2015147580.tif 000010
【図９】
2015147580.tif 000011
【手続補正書】
【提出日】平成26年5月27日(2014.5.27)
【手続補正１】
【補正対象書類名】明細書
【補正対象項目名】００１２
【補正方法】変更
【補正の内容】
【００１２】
本発明の衛生紙の収納容器は、鉛直方向に沿って上下に重ね合わされた衛生紙を詰め替え可能に収納する空間が少なくとも鉛直方向における上面側を開放して形成された内側ケースと、該内側ケースの少なくとも一部を覆う外側ケースとを備え、少なくとも前記内側ケースの一の面の端縁に形成された前記衛生紙の取出口から、前記衛生紙を、前記衛生紙が鉛直方向沿って上下に重ね合わされた面と水平方向に取り出すことができ、前記内側ケースを前記外側ケースから前記衛生紙が重ね合わされた面と水平方向に引き出すことができる。
このように構成することにより、高いデザイン性や流通性に加え、詰め替えの際に最初の１枚の端部を当該挟み込み機構の中にくぐらせることが不要で高齢者等であっても煩雑な作業が不要となり使いやすく、またティッシュ束のみを詰め替えるタイプ（紙箱なしのもの）の利用の促進により環境に優しい衛生紙の収納容器を実現できる。
【手続補正２】
【補正対象書類名】特許請求の範囲
【補正対象項目名】全文
【補正方法】変更
【補正の内容】
【特許請求の範囲】
【請求項１】
鉛直方向に沿って上下に重ね合わされた衛生紙を詰め替え可能に収納する空間が少なくとも鉛直方向における上面側を開放して形成された内側ケースと、該内側ケースの少なくとも一部を覆う外側ケースとを備え、
少なくとも前記内側ケースの一の面の端縁に形成された前記衛生紙の取出口から、前記衛生紙を、前記衛生紙が鉛直方向沿って上下に重ね合わされた面と水平方向に取り出すことができ、
前記内側ケースを前記外側ケースから前記衛生紙が重ね合わされた面と水平方向に引き出すことができる衛生紙の収納容器。
【請求項２】
前記一の面は、前記内側ケースの前記衛生紙が重ね合わされた面と垂直をなす面であって、重ね合わされた前記衛生紙の短手方向と対向する面である請求項１記載の衛生紙の収納容器。
【請求項３】
前記内側ケースを前記外側ケースの長手方向において引き出すことができる請求項１又は２に記載の衛生紙の収納容器。
【請求項４】
前記外側ケースの前記内側ケースを引き出す開放面の一端縁に仕切り板を備え、
該仕切り板には前記内側ケースの前記一の面の端縁に形成された前記取出口と連通して前記衛生紙の取出口となる開口部が形成される請求項１から３のいずれか１項に記載の衛生紙の収納容器。
【請求項５】
前記外側ケースの鉛直方向における上面を被取付体に取り付ける取付部材を備える請求項１から４のいずれか１項に記載の衛生紙の収納容器。
【請求項６】
請求項１から４のいずれか１項に記載の衛生紙の収納容器の外側ケースの鉛直方向における上面を被取付体に取り付ける取付部材。
【手続補正書】
【提出日】平成26年9月10日(2014.9.10)
【手続補正１】
【補正対象書類名】明細書
【補正対象項目名】００１２
【補正方法】変更
【補正の内容】
【００１２】
本発明の衛生紙の収納容器は、鉛直方向に沿って上下に重ね合わされた衛生紙を詰め替え可能に収納する空間が少なくとも鉛直方向における上面側を開放して形成された内側ケースと、該内側ケースの少なくとも一部を覆う外側ケースとを備え、前記内側ケースの一の面の鉛直方向における上端縁に、略横長形状となるように切り欠き形成されて前記一の面側にのみ設けられた前記衛生紙の取出口から、前記衛生紙を、前記衛生紙が鉛直方向沿って上下に重ね合わされた面と水平方向に取り出すことができ、前記内側ケースを前記外側ケースから前記衛生紙が重ね合わされた面と水平方向に引き出すことができる。
このように構成することにより、高いデザイン性や流通性に加え、詰め替えの際に最初の１枚の端部を当該挟み込み機構の中にくぐらせることが不要で高齢者等であっても煩雑な作業が不要となり使いやすく、またティッシュ束のみを詰め替えるタイプ（紙箱なしのもの）の利用の促進により環境に優しい衛生紙の収納容器を実現できる。
【手続補正２】
【補正対象書類名】明細書
【補正対象項目名】００１５
【補正方法】変更
【補正の内容】
【００１５】
また、本発明の衛生紙の収納容器は、前記外側ケースの前記内側ケースを引き出す開放面の鉛直方向における上端縁に仕切り板を備え、該仕切り板には前記内側ケースの前記一の面の鉛直方向における上端縁に形成された前記取出口と連通して前記衛生紙の取出口となる開口部が形成されてもよい。
【手続補正３】
【補正対象書類名】特許請求の範囲
【補正対象項目名】全文
【補正方法】変更
【補正の内容】
【特許請求の範囲】
【請求項１】
鉛直方向に沿って上下に重ね合わされた衛生紙を詰め替え可能に収納する空間が少なくとも鉛直方向における上面側を開放して形成された内側ケースと、該内側ケースの少なくとも一部を覆う外側ケースとを備え、
前記内側ケースの一の面の鉛直方向における上端縁に、略横長形状となるように切り欠き形成されて前記一の面側にのみ設けられた前記衛生紙の取出口から、前記衛生紙を、前記衛生紙が鉛直方向沿って上下に重ね合わされた面と水平方向に取り出すことができ、
前記内側ケースを前記外側ケースから前記衛生紙が重ね合わされた面と水平方向に引き出すことができる衛生紙の収納容器。
【請求項２】
前記一の面は、前記内側ケースの前記衛生紙が重ね合わされた面と垂直をなす面であって、重ね合わされた前記衛生紙の短手方向と対向する面である請求項１記載の衛生紙の収納容器。
【請求項３】
前記内側ケースを前記外側ケースの長手方向において引き出すことができる請求項１又は２に記載の衛生紙の収納容器。
【請求項４】
前記外側ケースの前記内側ケースを引き出す開放面の鉛直方向における上端縁に仕切り板を備え、
該仕切り板には前記内側ケースの前記一の面の鉛直方向における上端縁に形成された前記取出口と連通して前記衛生紙の取出口となる開口部が形成される請求項１から３のいずれか１項に記載の衛生紙の収納容器。
【請求項５】
前記外側ケースの鉛直方向における上面を被取付体に取り付ける取付部材を備える請求項１から４のいずれか１項に記載の衛生紙の収納容器。
【請求項６】
請求項１から４のいずれか１項に記載の衛生紙の収納容器の外側ケースの鉛直方向における上面を被取付体に取り付ける取付部材。